(57)【要約】【課題】住宅の入隅部に取り付けられ、軒樋どうしを略直角に突き合わせて接続し、水勢によって跳ね返る雨水が鼻板や軒裏に飛散することを防ぐ軒樋の内曲がり継手を提供する。【解決手段】住宅の軒先の入隅部に取り付けられ、軒樋Ｃどうしを突き合わせて接続する内曲がり継手Ａであって、該内曲がり継手Ａは、屋外側立壁２とこれに対向する内側立壁１と両者を接続する底部３とからなる継手本体Ｂと水返し片４とから構成され、該水返し片４は内側立壁１の略直角のコーナー部に屋外側立壁２に向けて突出して設けられた軒樋内曲がり継手Ａ。【選択図】図１
2008223367.tif 000002
【特許請求の範囲】
【請求項１】
住宅の軒先の入隅部に取り付けられ、軒樋どうしを突き合わせて接続する内曲がり継手であって、該内曲がり継手は、屋外側立壁とこれに対向する内側立壁と両者を接続する底部とからなる継手本体と水返し片とから構成され、該水返し片は内側立壁の略直角のコーナー部に屋外側立壁に向けて突出して設けられた軒樋内曲がり継手。
【請求項２】
上記軒樋の内壁側耳部を係止する内側耳部係止部より上方に延伸し、両方の内側立壁の延伸背壁部が形成するコーナー部に水返し片が設けられた請求項１に記載の軒樋内曲がり継手。
【請求項３】
上記水返し片が屋外側立壁に向けて上方に傾斜して設けられた請求項１に記載の軒樋内曲がり継手。
【発明の詳細な説明】
【技術分野】
【０００１】
本発明は、軒樋の曲がり継手に関する。さらに詳しくは、住宅の入隅部に取り付けられる軒樋を略直角に突き合わせて接続する軒樋内曲がり継手に関するものである。
【背景技術】
【０００２】
例えば、平面視Ｌ字型に建てられる住宅の軒先の入隅部に軒樋を取り付ける場合、軒樋どうしは略直角に突き合わされ、曲がり継手で接続される。このとき、傾斜した屋根部と屋根部とで形成された谷部には両側の屋根面から雨水が合流して流入するため、水勢が強くなり、曲がり継手本体内に落ちることなく、曲がり継手の前面壁を飛び越えて地面に落下することが多い。
【０００３】
そこで、下記特許文献１には、その第１図に示されているように、曲がり継手本体が軒樋の前面板の外面に沿った断面形状の前面壁を備え、この前面壁は、屋外側に向かい傾斜して立ち上がるものであって、この前面壁の入隅部を中心にして、この入隅部の両側で同入隅部の上端縁から立ち上がり、かつ、屋根の谷部から流れ落ちる雨水を同曲がり継手本体内へ導く別構成のガイド片を備えた雨樋曲がり継手が開示されている。
【特許文献１】特開平８−１９３３９４号公報（第１〜３頁、第１図、第２図、第３図、第４図）
【発明の開示】
【発明が解決しようとする課題】
【０００４】
上記特許文献１に記載の雨樋曲がり継手は、その図１、図２および図３、図４に示されているように、曲がり継手本体とガイド片とからなり、傾斜する屋根面と屋根面とから形成された谷部を流下する雨水に加えて、左右の軒樋からも流入する雨水が水勢によって継手本体を越えて地面に落下することを防ぐ効果があると記載されている。しかしながら、上記勢いのある雨水が前面壁に当たって跳ね返り、鼻板や、軒裏に飛散することを防ぐには必ずしも適切であるとはいえない。
【０００５】
本発明はこのような問題を解決して、住宅の入隅部に取り付けられ、略直角に突き合わされる軒樋どうしを接続するとともに、水勢のある雨水が曲がり継手本体を越えて地面に落下することを防ぎ、かつ、水勢によって跳ね返る雨水が鼻板や軒裏に飛散することなく水返しできる軒樋の内曲がり継手を提供することをその課題とする。
【課題を解決するための手段】
【０００６】
上記課題を解決するために、本発明においては、つぎのような技術的手段を講じている。すなわち、請求項１に記載の発明によれば、住宅の軒先の入隅部に取り付けられ、軒樋どうしを突き合わせて接続する内曲がり継手であって、該内曲がり継手は、屋外側立壁とこれに対向する内側立壁と両者を接続する底部とからなる継手本体と水返し片とから構成され、該水返し片は内側立壁の略直角のコーナー部に屋外側立壁に向けて突出して設けられた軒樋内曲がり継手が提供される。ここに、内側立壁とは上記継手本体の軒先に近い側の立壁をいう。
【０００７】
請求項２に記載の軒樋内曲がり継手は、請求項１に記載の発明に加えて、上記軒樋の内壁側耳部を係止する内側耳部係止部より上方に延伸し、両方の内側立壁の延伸背壁部が形成するコーナー部に水返し片が設けられる。
【０００８】
請求項３に記載の軒樋内曲がり継手は、請求項１に記載の発明に加えて、  上記水返し片は屋外側立壁に向けて上方に傾斜して設けられる。
【発明の効果】
【０００９】
請求項１に記載の発明にかかる軒樋内曲がり継手は上記のとおりであり、軒先の入隅部に取り付けられ、軒樋どうしを略直角に突き合わせて接続するとともに、屋外側立壁と内側立壁と両者を接続する底部とからなる継手本体と水返し片とから構成され、該水返し片は内側立壁の略直角のコーナー部に屋外側立壁に向けて突出して設けられているため、傾斜する屋根面と屋根面とが形成する谷部を流下する雨水と両方の軒樋からの雨水によって勢いが付き、屋外側立壁に当たって跳ね返る水流を返し、鼻板や軒先に飛散することを防ぐ。そして、鼻板が濡れて腐食したり、軒裏に跳ね返り、湿気によって軒先を傷めることを防止する。
【００１０】
請求項２に記載の軒樋内曲がり継手は上記のとおりであり、請求項１の軒樋内曲がり継手の有する効果に加え、上記軒樋の内壁側耳部を係止する係止部より上方に延伸し、上記両方の内側立壁の延伸背壁部が形成するコーナー部に水返し片が設けられているため、延伸背壁部と共同して効果的に水返しをすることができる。
【００１１】
請求項３に記載の軒樋内曲がり継手は上記のとおりであり、請求項１の軒樋内曲がり継手の有する効果に加え、上記水返し片が屋外側立壁に向かって上方に傾斜して設けられているため、傾斜する屋根面と屋根面とが形成する谷部を流下する雨水と両方の軒樋からの雨水によって勢いの付いた水流を、継手本体内で効果的に水返しをすることができる。そして、鼻板が濡れて腐食したり、軒裏に跳ね返り、湿気によって軒先が傷むことを防ぐことができる。
【発明を実施するための最良の形態】
【００１２】
以下、本発明について図面を参照して詳細に説明する。図１は、本発明にかかる軒樋内曲がり継手Ａと継手本体Ｂおよび軒樋Ｃを示す斜視図である。図２は、図１における上記軒樋内曲がり継手Ａの継手本体Ｂに軒樋Ｃを差し込んだ状態をＸ−Ｘ線に沿う断面で示す断面図である。図１に示すように、上記軒樋内曲がり継手Ａは、屋外側立壁２と内側立壁１とこれらを接続する底部３とからなる継手本体Ｂと水返し片４とから構成され、上記継手本体Ｂによって軒樋Ｃどうしは略直角に突き合わされ、接続される。
【００１３】
図１、図２に示すように、上記内側立壁１の上部端部には軒樋Ｃの内壁側耳部５を係止するための内側耳部係止部６が設けられ、屋外側立壁２の端部上部には軒樋Ｃの屋外側耳部７を係止するための外側耳部係止部８が内設されている。さらに、上記内側耳部係止部６より上方に延伸する内側立壁１の両方の延伸背壁部１１が形成するコーナー部に水返し片４が設けられる。
【００１４】
このようにして水返し片４を設けることにより、左右の軒樋Ｃから雨水が流入して水勢が強くなり、屋外側立壁２に当たって雨水が跳ね返っても、延伸背壁部１１によって返され、さらに上記水返し片４によって返される。その結果、左右の軒樋Ｃから雨水が流入しても、さらに、傾斜する屋根面と屋根面とから形成される谷部から継手本体Ｂに直接雨水が流下しても、雨水が飛散して鼻板を濡らし腐食させたり、軒裏に跳ね返り、湿気によって軒先を傷めることを防止できる。
【００１５】
図３は、上記実施形態において、水返し片４を屋外側立壁２に向けて上方に傾斜して設けた変形例を示す側断面図である。図３に示されているように水返し片４が上方に反り上がっているため、屋外側立壁２側からの跳ね返り水をより効果的に返すことが可能となり、飛散する雨水により鼻板が濡れて腐食したり、軒裏に跳ね返り、湿気によって軒先を傷めることを防止できる。なお、この場合、水返し片４は中央が上方に屈曲した山型形状となっている。
【００１６】
図４は、棟を寄せて平面視Ｌ字型に建てられた住宅の軒先の入隅部に本発明にかかる軒樋内曲がり継手Ａを取り付けた例を示す斜視図である。図４に示されているように、上記軒樋内曲がり継手Ａは軒樋Ｃを略直角に接続するとともに、継手本体Ｂは両側の屋根面から形成された谷部９を流下する雨水を受ける。さらに上記谷部９を流下する雨水と両方の軒樋Ｃからの雨水によって勢いの付いた水流は、継手本体Ｂ内で跳ね返るが、軒下に配設された図示しない水返し片４によって返され、鼻板が濡れて腐食したり、軒裏に跳ね返って軒先を傷めることを防止する。
【００１７】
図４に示した例は、二つの住宅の棟を寄せた場合について述べたが、片流れ屋根にひさし部分を設ける際に形成される入隅部等に取り付けることも可能である。このように本発明は住宅の入隅部に取付け自在であり、特許請求の範囲を逸脱しない限り、本発明の技術的範囲に属する。
【図面の簡単な説明】
【００１８】
【図１】本発明にかかる軒樋内曲がり継手と軒樋とを示す斜視図である。
【図２】図１におけるＸ−Ｘ線に沿う断面図である。
【図３】図２に示す軒樋内曲がり継手の変形例を示す断面図である。
【図４】本発明にかかる軒樋内曲がり継手を住宅の軒先の入隅部に取り付けた例を示す斜視図である。
【符号の説明】
【００１９】
Ａ          軒樋内曲がり継手
Ｂ          継手本体
Ｃ          軒樋
１          内側立壁
１１        延伸背壁部
２          屋外側立壁
３          底部
４          水返し片
５          内壁側耳部
６          内側耳部係止部
７          屋外側耳部
８          外側耳部係止部
９          谷部
【図１】
2008223367.tif 000003
【図２】
2008223367.tif 000004
【図３】
2008223367.tif 000005
【図４】
2008223367.tif 000006